(57)【要約】【課題】スタンドの上部が挿入される挿入部を必要以上に大きくすることなく、挿入部へ挿入されるスタンドの上部を案内部に沿って被取付部へ案内することができる表示装置を提供する。【解決手段】前側に表示面を有し、下側に挿入部１ａ，１ａを有する表示装置本体１と、上部が挿入部１ａ，１ａへ挿入され、表示装置本体１を起立状態で支持するスタンド２とを備え、表示装置本体１の挿入部の上側に、スタンド２の上部が取付けられる被取付部１２ａ，１２ａを設け、該被取付部１２ａ，１２ａと挿入部１ａ，１ａとの間に、スタンド２の上部を被取付部１２ａ，１２ａへ案内する案内部を有する案内部Ａ，Ａを配置し、該案内部Ａ，Ａの案内部に沿ってスタンド２の上部を被取付部１２ａ，１２ａへ案内することができるようにした。【選択図】図２
2009075165.tif 000002
【特許請求の範囲】
【請求項１】
前側に表示面を有し、下側に挿入部を有する表示装置本体の前記挿入部の上側に、上部が前記挿入部へ挿入され、前記表示装置本体を起立状態で支持するスタンドの上部が取付けられる被取付部を設けてある表示装置において、前記スタンドの上部を前記被取付部へ案内する案内部を備えることを特徴とする表示装置。
【請求項２】
前記案内部は、前記表示装置本体に取付けられるベース体と、該ベース体に結合され、前記ベース体との間に前記スタンドの上部が挿通される挿通路が設けられているカバー体とを有する請求項１記載の表示装置。
【請求項３】
前記ベース体及びカバー体の一方は、可撓性を有する係止片を有し、他方は該係止片が係止される被係止部を有し、前記ベース体及びカバー体が前記係止片の撓み方向へ相対移動するのを規制する規制部を備える請求項２記載の表示装置。
【請求項４】
前記係止片及び規制部は前記挿通路の両側に配してある請求項３記載の表示装置。
【請求項５】
前記カバー体は、離隔して対向する側壁及び該側壁夫々を連結する連結壁を有し、前記側壁夫々の縁部に前記係止片が突設されている請求項３又は４に記載の表示装置。
【請求項６】
前記被取付部は、前記スタンドの上部をピン部材で固定する固定部及び該固定部の少なくとも一側に配されている嵌合凹部とを有し、前記ベース体は前記嵌合凹部に嵌合される嵌合凸部を有する請求項２から５のいずれか一つに記載の表示装置。
【発明の詳細な説明】
【技術分野】
【０００１】
本発明は液晶表示装置、プラズマ表示装置等の表示装置に関する。
【背景技術】
【０００２】
液晶テレビジョン等の薄型の表示装置は、前側に表示面を有するパネル、該パネルの後側に配される電気機器などを支持する支持体及びパネル、支持体の周縁部から後側を被覆するキャビネットを有する表示装置本体と、該表示装置本体を起立状態で支持するスタンドとを備える。前記支持体の後側及びキャビネットの下側には、下方へ開口する挿入孔が開設され、該挿入孔の上側に被取付部が設けられている。また、スタンドは、前記挿入孔へ挿入される支柱部及び該支柱部の下端に結合されているベース部を有し、支柱部が前記挿入部へ挿入された後、雄螺子により支柱部が前記被取付部に取付けられるように構成されている（例えば、特許文献１参照）。
【特許文献１】特開２００３−２９６４３号公報
【発明の開示】
【発明が解決しようとする課題】
【０００３】
ところが、特許文献１のように表示装置本体の下側にスタンド用の挿入孔が開設されている表示装置にあっては、前記挿入孔と被取付部とが上下に離隔、換言すると前記支柱部の挿入方向へ離隔しているため、キャビネットを有する表示装置本体をスタンドの支柱部よりも上方へ持上げて支柱部を挿入部へ挿入する際、支柱部を被取付部の適正位置へ配するのが難しく、改善策が要望されていた。また、前記挿入孔を前記支柱部の外形に対して比較的大きく形成し、支柱部を挿入孔へ容易に挿入することができるように構成された場合、挿入孔と支柱部との間に比較的大きな環状空間が生じ、該環状空間から塵埃が侵入し易くなる。
【０００４】
本発明は斯かる事情に鑑みてなされたものであり、主たる目的は、スタンドの上部を被取付部へ案内する案内部を設けることにより、スタンドの上部が挿入される挿入部を必要以上に大きくすることなく、挿入部へ挿入されるスタンドの上部を案内部に沿って被取付部へ案内することができる表示装置を提供することにある。
【課題を解決するための手段】
【０００５】
本発明に係る表示装置は、前側に表示面を有し、下側に挿入部を有する表示装置本体の前記挿入部の上側に、上部が前記挿入部へ挿入され、前記表示装置本体を起立状態で支持するスタンドの上部が取付けられる被取付部を設けてある表示装置において、前記スタンドの上部を前記被取付部へ案内する案内部を備えることを特徴とする。
【０００６】
この発明にあっては、挿入部へ挿入されるスタンドの上部を案内部に沿って被取付部へ案内することができるため、挿入部を必要以上に大きくすることなく、スタンドの上部を被取付部の適正位置へ迅速、容易に配することができ、スタンドの被取付部への取付作業性を向上することができる。
【０００７】
また、本発明に係る表示装置は、前記案内部は、前記表示装置本体に取付けられるベース体と、該ベース体に結合され、前記ベース体との間に前記スタンドの上部が挿通される挿通路が設けられているカバー体とを有する構成とするのが好ましい。
この発明にあっては、個別に成形することができるベース体及びカバー体により筒状の挿通路を簡易に得ることができるため、スタンド上部の案内性を高めることができるとともに、案内部の剛性を高めることができる。
【０００８】
また、本発明に係る表示装置は、前記ベース体及びカバー体の一方は、可撓性を有する係止片を有し、他方は該係止片が係止される被係止部を有し、前記ベース体及びカバー体が前記係止片の撓み方向へ相対移動するのを規制する規制部を備える構成とするのが好ましい。
この発明にあっては、係止片を撓ませつつ該係止片を被係止部に係止することができるため、カバー体をベース体に簡易に結合することができ、また、カバー体がベース体に結合されている状態でスタンドの上部が挿入部へ挿入される際、スタンドの上部からカバー体の内側へ外向きの荷重が加わったり、スタンドの上部が被取付部に取付けられている状態で表示装置本体が振動し、この振動による外力がカバー体に加わった場合においてもベース体及びカバー体が係止片の撓み方向へ相対移動するのを規制することができ、係止片の撓みによるカバー体の外れを防ぐことができる。
【０００９】
また、本発明に係る表示装置は、前記係止片及び規制部は前記挿通路の両側に配してある構成とするのが好ましい。
この発明にあっては、挿通路の両側でカバー体をベース体に結合することができるため、カバー体の結合強度を高めることができるとともに、ベース体及びカバー体の係止片撓み方向への相対移動をより一層困難にでき、カバー体をより一層外れ難くすることができる。
【００１０】
また、本発明に係る表示装置は、前記カバー体は、離隔して対向する側壁及び該側壁夫々を連結する連結壁を有し、前記側壁夫々の縁部に前記係止片が突設されている構成とするのが好ましい。
この発明にあっては、カバー体の側壁夫々を握持して係止片を被係止部に係止することができるため、カバー体の結合を簡易にできる。
【００１１】
また、本発明に係る表示装置は、前記被取付部は、前記スタンドの上部をピン部材で固定する固定部及び該固定部の少なくとも一側に配されている嵌合凹部とを有し、前記ベース体は前記嵌合凹部に嵌合される嵌合凸部を有する構成とするのが好ましい。
この発明にあっては、ベース体の嵌合凸部を嵌合凹部に嵌合させることにより、ベース体の被取付部に対する位置を決めることが可能であるため、ベース体の適正位置への固定を簡易にできる。
【発明の効果】
【００１２】
本発明によれば、表示装置本体の下側に開設されている挿入部を必要以上に大きくすることなく、案内部によりスタンドの上部を被取付部の適正位置へ迅速、容易に配することができ、スタンドの被取付部への取付作業性を向上することができる。
【発明を実施するための最良の形態】
【００１３】
以下本発明をその実施の形態を示す図面に基づいて詳述する。
図１は表示装置の構成を示すスタンドを取外した状態の背面図、図２はスタンド及びスタンド取付部の構成を示す背面側の斜視図、図３は表示装置本体のキャビネットを取外した状態の背面図、図４はスタンド及びスタンド取付部の構成を示す分解斜視図、図５はスタンド及びスタンド取付部の構成を示す拡大斜視図、図６はスタンド及びスタンド取付部の構成を示す拡大背面図、図７はスタンド及びスタンド取付部の構成を示す拡大側面図、図８は案内部が取付けられている状態の拡大背面図である。
【００１４】
図示した表示装置は、テレビ画像を表示する表示面を前側に有し、略直方体をなす表示装置本体１と、該表示装置本体１の後側下部に取外し可能に取付けられ、表示装置本体１を起立状態で支持するスタンド２と、スタンド２が取付けられる際、該スタンド２の上部を上側の被取付部１２ａ，１２ａへ案内する案内部Ａ，Ａとを備え、表示装置本体１の下側にスピーカ１４，１４を配してある薄型の液晶テレビジョンである。
【００１５】
表示装置本体１は前側に表示面を有する液晶のパネルと、該パネルの後側に配された光学シートと、バックライト部と、これらパネル等の部品を支持する支持体１１と、その下部に被取付部１２ａを有し、支持体１１の後側の面に取付けられている支持体補強用の二つの取付部材１２，１２と、パネルの外周り及び支持体１１の後側を被覆するキャビネット１３とを備えており、取付部材１２，１２の被取付部１２ａ，１２ａにスタンド２の上部が取付けられている。被取付部１２ａ，１２ａは後記する挿入部１ａ，１ａの上側に配されている。
【００１６】
支持体１１は略直方体をなす横長の枠部材１１ａと、周縁部が枠部材１１ａに結合され該枠部材１１ａの後側端を閉鎖する蓋板１１ｂとを有する箱形をなし、内側に前記バックライト部が支持され、開放側に前記パネル及び光学シートが支持されており、また、蓋板１１ｂの後側で長手方向の２箇所に二つの取付部材１２，１２が取付けられ、補強されている。また、支持体１１の下部両側にスピーカ１４，１４が取付けられている。
【００１７】
取付部材１２，１２は、幅方向中央部が支持体１１の後面１１ｃに対して後方へ離隔する凸条をなし、幅方向両側が前記後面１１ｃに接触する凹状をなす帯状板からなり、該取付部材１２，１２の長手方向下部に、凸条から後方へ突出する被取付部１２ａ，１２ａと、スタンド２の後記する荷重受部２１ｄ，２１ｄに掛止される二つの掛止片１２ｂ，１２ｂと、スタンド２の後記する被係合部２１ｅ，２１ｅに係合する二つの傾倒規制部１２ｃ，１２ｃとが一体に設けられている。被取付部１２ａ，１２ａはその長手方向が上下となる後面視略長円形をなし、該被取付部１２ａ，１２ａに、上下に離隔して二つの螺子孔１２ｄ，１２ｄが開設されている。尚、螺子孔１２ｄ，１２ｄが固定部を構成している。
【００１８】
掛止片１２ｂ，１２ｂは被取付部１２ａ，１２ａの両側（取付部材１２，１２の幅方向両側）で、螺子孔１２ｄ，１２ｄの間が後方へ切起しにより立上り、途中に下向きの鈎部を有する。この鈎部は被取付部１２ａ，１２ａより後側に配されている。
【００１９】
傾倒規制部１２ｃ，１２ｃは、下端末と二つの掛止片１２ｂ，１２ｂとの間で切起しにより後方へ立上がる基部と、該基部から幅方向中央側へ曲げられている先部とにより鈎形をなしている。
【００２０】
また、取付部材１２，１２の幅方向両側の凹条部は後記する嵌合凸部３７ｂ，３７ｂが嵌合される嵌合凹部１２ｅ，１２ｅになっており、嵌合凹部１２ｅ，１２ｅ夫々の下部に取付孔１２ｆ，１２ｆが開設されている。また、幅方向中央の凸条部には、後方へ突出し、壁掛具に取付けられる複数の棒状体１２ｇが取付けられている。この棒状体１２ｇは内側に螺子孔を有する。
【００２１】
キャビネット１３はパネルの外周り及びスピーカ１４の前側を被覆するフロント用の枠体１３ａと、支持体１１の後側及びスピーカ１４を被覆する筺体１３ｂとを有する。枠体１３ａの下部はスピーカ１４の前側を被覆するために上下幅を広くしてあり、該下部に、案内部Ａ，Ａの後記する二つの嵌合突起が嵌合される嵌合孔が設けられている。
【００２２】
筺体１３ｂは深皿形をなし、下側にはスタンド２の上部が挿入される二つの挿入部１ａ，１ａが横方向へ離隔して開設され、後側の下部には二つの被取付部１２ａ，１２ａの螺子孔１２ｄ，１２ｄに対応する四つの挿通孔１３ｄ，１３ｄが開設され、挿通孔１３ｄ，１３ｄへ挿通される雄螺子５によりスタンド２の上部を被取付部１２ａ，１２ａに固定するように構成されている。また、筺体１３ｂの後側には棒状体１２ｇに対応する複数の取付孔１３ｅが開設され、取付孔１３ｅへ挿通される雄螺子により壁掛け金具をキャビネット１３の後面に取付けることができるように構成されている。
【００２３】
スタンド２は横方向へ離隔して並置され、挿入部１ａ，１ａへ挿入される二つの支柱部２１，２１及び該支柱部２１，２１の下端に取付けられ、支柱部２１，２１を連結してあるベース部材２２とを有する。
【００２４】
支柱部２１，２１は被取付部１２ａ，１２ａと対向する帯状の基板２１ａと、該基板２１ａの幅方向両側に連なる側板２１ｂ，２１ｂとにより長手方向が上下となる半角筒形をなし、上端部に、螺子孔１２ｄ，１２ｄに対応する二つの貫通孔２１ｃ，２１ｃと、側板２１ｂ，２１ｂより外方へ突出し、掛止片１２ｂ，１２ｂが掛止される荷重受部２１ｄ，２１ｄと、側板２１ｂ，２１ｂより外方へ突出し、傾倒規制部１２ｃ，１２ｃが係合する被係合部２１ｅ，２１ｅとが一体に設けられている。側板２１ｂ，２１ｂの外法寸法は掛止片１２ｂ，１２ｂ間及び傾倒規制部１２ｃ，１２ｃの先部間の距離より若干短く形成されている。貫通孔２１ｃ，２１ｃは上下に離隔して基板２１ａに開設されている。
【００２５】
荷重受部２１ｄ，２１ｄは貫通孔２１ｃ，２１ｃの間の側板２１ｂ，２１ｂを幅方向外方へ切起こすことにより基板２１ａと一体に形成されている。被係合部２１ｅ，２１ｅは下側の貫通孔２１ｃと下方へ離隔した位置の側板２１ｂ，２１ｂを幅方向外方へ切起こすことにより基板２１ａと一体に形成されている。
【００２６】
図９及び図１０は案内部Ａの構成を示す斜視図、図１１は案内部Ａの構成を示す底面図、図１２は案内部Ａの構成を示す分解斜視図である。案内部Ａは、取付部材１２，１２の下部に取付けられ、支柱部２１，２１を被取付部１２ａ，１２ａへ案内する案内面３１ａ，３１ｂを有する合成樹脂製のベース体３と、該ベース体３に結合され、ベース体３との間に支柱部２１が挿通される挿通路４１及び案内面４２ａ，４２ｂを有する合成樹脂製のカバー体４とを備える。
【００２７】
ベース体３は、支柱部２１の基板２１ａ部が挿入される案内溝３２と、該案内溝３２の両側で案内溝３２の深さ方向へ突設された規制片３３，３３、被係止部３４，３４、嵌入孔３５，３５及び位置決め凸部３６，３６と、案内溝３２の出側端から案内方向へ延出され、案内溝３２の両側で対向する二つの取付片３７，３７とを有する。
【００２８】
案内溝３２の入側には、両側面が拡がる案内面３１ａ，３１ａ及び底面が窪む案内面３１ｂが設けられている。規制片３３，３３、嵌入孔３５，３５及び位置決め凸部３６，３６は夫々前記案内方向へ離隔し、規制片３３，３３と位置決め凸部３６，３６との間に嵌入孔３５，３５が配されている。被係止部３４，３４は案内溝３２の長手方向途中に開設された貫通孔３８，３８の外側縁部に配されている。取付片３７，３７は取付部材１２，１２の凹条部の側板部１２ｈ，１２ｈが挿入される溝３７ａ，３７ａ及び嵌合凹部１２ｅ，１２ｅに嵌合される嵌合凸部３７ｂ，３７ｂを有し、該嵌合凸部３７ｂ，３７ｂに、取付孔１２ｆ，１２ｆに対応する挿通孔３９，３９が開設されている。また、ベース体３には案内溝３２の裏側に突設され、枠体１３ａの前記嵌合孔に嵌合される二つの嵌合突起３０，３０が設けられている。
【００２９】
カバー体４は、離隔して対向し、若干の撓みが可能な側壁４ａ，４ａ及び該側壁４ａ，４ａを連結する連結壁４ｂと、側壁４ａ，４ａの縁部に突設され、被係止部３４，３４に係止される係止片４３，４３とを有し、カバー体４の内面と案内溝３２とにより支柱部２１の挿通路４１が形成される。カバー体４の入側には、側壁４ａ，４ａの内面が拡がる案内面４２ａ，４２ａ及び連結壁４ｂの内面が窪む案内面４２ｂが設けられており、また、連結壁４ｂの内面に、案内突起４４が設けられている。係止片４３，４３は可撓性を有し、先部に爪が設けられている。側壁４ａ，４ａの縁部には鍔部４ｃ，４ｃが突設され、該鍔部４ｃ，４ｃに、規制片３３，３３が挿入される規制孔４５，４５、嵌入孔３５，３５に対応する挿通孔４６，４６、及び位置決め凸部３６，３６が嵌入される位置決め凹部４７，４７が設けられている。規制片３３，３３及び規制孔４５，４５はベース体３及びカバー体４が係止片４３，４３の撓み方向へ相対移動するのを規制する規制部を構成している。
【００３０】
以上のように構成された表示装置の表示装置本体１は、表示面が下向きとなるように載置台上に転倒して組立てられ、支持体１１の蓋板１１ｂ及び取付部材１２，１２が上向になっており、この取付部材１２，１２の下部に案内部Ａ，Ａが取付けられる。
【００３１】
案内部Ａ，Ａは、一方の手でベース体３の両側部を把持し、他方の手でカバー体４の側壁４ａ，４ａを把持し、係止片４３，４３を貫通孔３８，３８へ挿入し、該係止片４３，４３を撓ませつつ被係止部３４，３４に係止する。この際、規制片３３，３３が規制孔４５，４５に挿入され、位置決め凸部３６，３６が位置決め凹部４７，４７に嵌入され、カバー体４をベース体３に結合することができる。この状態で挿通孔４６，４６から嵌入孔３５，３５へ雄螺子６，６を捩込むことにより、カバー体４とベース体３とを一体にすることができる。
【００３２】
このように組立られた案内部Ａ，Ａは、ベース体３の嵌合凸部３７ｂ，３７ｂが取付部材１２，１２の下部の嵌合凹部１２ｅ，１２ｅに嵌合され、嵌合凸部３７ｂ，３７ｂの挿通孔３９，３９から取付孔１２ｆ，１２ｆへ雄螺子７，７を捩込むことにより、案内部Ａ，Ａを取付部材１２，１２に取付けることができ、二つの挿入部１ａ，１ａと二つの取付部材１２，１２の下部との間に案内部Ａ，Ａが配される。案内部Ａ，Ａは案内溝３２，３２が被取付部１２ａ，１２ａ及び傾倒規制部１２ｃ，１２ｃと対応する位置に配され、案内溝３２，３２の底面と被取付部１２ａ，１２ａとが上下方向で直線状になる。
【００３３】
案内部Ａ，Ａが取付部材１２，１２に取付けられた後、表示装置本体１は起立される。この場合、表示装置本体１の下側に挿入部１ａ，１ａが設けられており、挿入部１ａ，１ａの上側に被取付部１２ａ，１２ａが配され、挿入部１ａ，１ａ及び被取付部１２ａ，１２ａ間に案内部Ａ，Ａが配されている。起立された表示装置本体１を、二つの支柱部２１，２１を有するスタンド２の支柱部２１，２１よりも上方へ持ち上げ、挿入部１ａ，１ａが支柱部２１，２１と対応する位置で表示装置本体１を降しつつ二つの支柱部２１，２１を案内部Ａ，Ａ内へ挿入する。この場合、ベース体３，３の案内溝３２，３２には案内面３１ａ，３１ｂが設けられており、カバー体４，４の内面には案内面４２ａ，４２ｂが設けられているため、支柱部２１，２１の被係合部２１ｅ，２１ｅは案内溝３２，３２の案内面３１ａ，３１ｂにより挿入方向へ案内することができ、支柱部２１，２１の上端はカバー体４，４の案内面４２ａ，４２ｂ及び案内突起４４，４４により挿入方向へ案内することができる。因って、取付部材１２，１２の長手方向（上下方向）に対し支柱部２１，２１が傾斜している状態で挿入されることがあっても、支柱部２１，２１の上端を案内部Ａ，Ａ内へ挿入し、表示装置本体１を降すことにより支柱部２１，２１を、取付部材１２，１２の被取付部１２ａ，１２ａと対向する適正位置へ配することができ、取付部材１２，１２の掛止片１２ｂ，１２ｂが支柱部２１，２１の荷重受部２１ｄ，２１ｄに掛止され、傾倒規制部１２ｃ，１２ｃが被係合部２１ｅ，２１ｅに係合する。この状態でキャビネット１３の挿通孔１３ｄへ雄螺子５を挿通し、支柱部２１，２１の貫通孔２１ｃ，２１ｃを経て取付部材１２，１２の螺子孔１２ｄ，１２ｄに捩込むことにより、支柱部２１，２１を取付部材１２，１２に固定することができ、支柱部２１，２１の取付作業性を高めることができる。
【００３４】
また、カバー体４，４の係止片４３，４３がベース体３，３の被係止部３４，３４に係止され、規制片３３，３３が規制孔４５，４５に嵌入されているため、支柱部２１，２１が鉛直方向に対して傾斜している状態で挿入されることがあっても、また、スタンド２が取付けられている状態で搬送される際の振動などによりカバー体４，４に外力が加わることがあっても、カバー体４，４のベース体３，３に対する離隔方向（図１１の矢印Ｘ方向）、及び横ずれ方向（図１１の矢印Ｙ方向）への移動を防ぐことができ、カバー体４，４の結合状態を維持することができる。
【００３５】
尚、以上説明した実施の形態では二つの支柱部２１，２１を有するスタンド２を取付ける構成としたが、その他、一つの支柱部２１又は三つ以上の支柱部２１を有するスタンド２を取付ける構成としてもよい。この場合、支柱部２１の個数に対応して被取付部１２ａが設けられる。
【００３６】
また、以上説明した実施の形態では柱形をなす取付部材１２の下部に被取付部１２ａを有する構成としたが、その他、被取付部１２ａの構造は特に制限されない。
【００３７】
また、以上説明した実施の形態では、案内部Ａがベース体３及びカバー体４を有する構成としたが、その他、案内部Ａの構成は特に制限されず、角筒形、半角筒形をなす構成としてもよい。
【００３８】
また、以上説明した実施の形態では、案内部Ａを支持体１１に取付ける構成としたが、その他、案内部Ａはキャビネット１３の筺体１３ｂに取付ける構成としてもよい。この場合、案内部Ａが取付けられている筺体１３ｂが支持体１１に取付けられる。
【００３９】
また、以上説明した実施の形態では、キャビネット１３の挿通孔１３ｄに挿通され、被取付部１２ａの螺子孔１２ｄに捩込まれる雄螺子５が支柱部２１を支持体１１に固定するように構成したが、その他、雄螺子５に代えてピンを用い、該ピンを、被取付部１２ａに開設される嵌合孔に嵌入することにより支柱部２１を被取付部１２ａに固定するように構成してもよい。
【００４０】
また、本発明に係る表示装置は液晶テレビジョン等の液晶表示装置である他、プラズマ表示装置、ＥＬディスプレィ等の表示装置であってもよい。
【図面の簡単な説明】
【００４１】
【図１】本発明に係る表示装置の構成を示すスタンドを取外した状態の背面図である。
【図２】本発明に係る表示装置のスタンド及びスタンド取付部の構成を示す背面側の斜視図である。
【図３】表示装置本体のキャビネットを取外した状態の背面図である。
【図４】本発明に係る表示装置のスタンド及びスタンド取付部の構成を示す分解斜視図である。
【図５】本発明に係る表示装置のスタンド及びスタンド取付部の構成を示す拡大斜視図である。
【図６】本発明に係る表示装置のスタンド及びスタンド取付部の構成を示す拡大背面図である。
【図７】本発明に係る表示装置のスタンド及びスタンド取付部の構成を示す拡大側面図である。
【図８】本発明に係る表示装置の案内部が取付けられている状態の拡大背面図である。
【図９】本発明に係る表示装置の案内部の構成を示す斜視図である。
【図１０】本発明に係る表示装置の案内部の構成を示す斜視図である。
【図１１】本発明に係る表示装置の案内部の構成を示す底面図である。
【図１２】本発明に係る表示装置の案内部の構成を示す分解斜視図である。
【符号の説明】
【００４２】
１    表示装置本体
１ａ  挿入部
１２ａ  被取付部
１２ｄ  螺子孔（固定部）
２    スタンド
２１  支柱部
Ａ    案内部
３    ベース体
３３  規制片（規制部）
３４  被係止部
４    カバー体
４ａ  側壁
４ｂ  連結壁
４１  挿通路
４３  係止片
４５  規制孔（規制部）
５    雄螺子（ピン部材）
【図１】
2009075165.tif 000003
【図２】
2009075165.tif 000004
【図３】
2009075165.tif 000005
【図４】
2009075165.tif 000006
【図５】
2009075165.tif 000007
【図６】
2009075165.tif 000008
【図７】
2009075165.tif 000009
【図８】
2009075165.tif 000010
【図９】
2009075165.tif 000011
【図１０】
2009075165.tif 000012
【図１１】
2009075165.tif 000013
【図１２】
2009075165.tif 000014